(57)【要約】【課題】プリント基板の表面側に圧電振動子を搭載すると共に、裏面側にＩＣ部品及び球状バンプ電極を搭載した表面実装型圧電発振器において、球状バンプ電極を小径化して発振器全体の実装高さの低減を図った場合に発生していた、マザーボードに実装した場合の接合強度の低下、実装平坦度の低下という不具合を解消する。【解決手段】絶縁基板２の表裏両面に電極を備えたプリント基板２と、プリント基板の表面に搭載した圧電振動子２１と、プリント基板の裏面に搭載したＩＣ部品２２と、該ＩＣ部品の外周側位置に搭載したバンプ電極２３と、プリント基板裏面のＩＣ部品及びバンプを埋設する樹脂２４と、を備えた表面実装型圧電発振器において、バンプ電極は、ＩＣ部品の実装高さを超えた直径を有した球状体の外側面と側面を所要形状に切断加工した構成を備え、ＩＣ部品は、その外面側を所定厚だけ切除された構成を備えている。【選択図】　　　図１
2004032323.tif 000002
【特許請求の範囲】
【請求項１】
絶縁基板の表裏両面に電極を備えたプリント基板と、プリント基板の表面に搭載した圧電振動子と、プリント基板の裏面に搭載したＩＣ部品と、該ＩＣ部品の外周側位置に搭載したバンプ電極と、プリント基板裏面のＩＣ部品及びバンプを埋設する樹脂と、を備えた表面実装型圧電発振器において、
前記バンプ電極は、外側面と底面とを切断加工された構成を備えていることを特徴とする表面実装型圧電発振器。
【請求項２】
前記バンプ電極は、前記ＩＣ部品の実装高さを超えた直径を有した球状体の外側面と底面とを所要形状に切断加工された構成を備えていることを特徴とする請求項１に記載の表面実装型圧電発振器。
【請求項３】
前記ＩＣ部品は、その外面側を所定厚だけ切除された構成を備えていることを特徴とする請求項１又は２に記載の表面実装型圧電発振器。
【請求項４】
複数の個片区画から成る大面積の絶縁基板母材、及び該絶縁基板母材の各個片区画の表裏両面に夫々形成した配線パターン領域を備えたプリント基板母材を用いた表面実装型圧電発振器の製造方法において、
前記各個片区画の裏面側配線パターン領域に夫々ＩＣ部品及びバンプ電極を搭載する際に、各バンプ電極を各個片区画間の境界に位置決めしながら搭載する工程と、
前記プリント基板母材の裏面側に搭載した各ＩＣ部品及びバンプ電極を絶縁樹脂により埋設する工程と、
前記バンプ電極の外側部分を含む絶縁樹脂の外側部分及び底面側部分を所定厚だけ切除する工程と、
前記プリント基板母材を各個片区画毎に切断する際に、各バンプ電極の側面を同時に切断して個片を得る工程と、
切断された前記各個片の表面側配線パターン領域に夫々圧電振動子を搭載する工程と、
から成ることを特徴とする表面実装型圧電発振器の製造方法。
【請求項５】
前記バンプ電極は、前記圧電発振器完成時における前記ＩＣ部品の実装高さを超えた直径を有した球状体であることを特徴とする請求項４に記載の表面実装型圧電発振器の製造方法。
【発明の詳細な説明】
【０００１】
【発明の属する技術分野】
本発明は、低背化を最大限に達成するための構成を備えた圧電発振器の欠点である実装強度の低下という問題を解消した表面実装型圧電発振器、及びその製造方法に関する。
【０００２】
【従来の技術】
携帯電話機等の移動体通信機器の普及に伴う低価格化、及び小型化の急激な進展により、これらの通信機器に使用される水晶発振器等の圧電発振器に対しても、低価格化、小型化、及び薄型化の要請が高まっている。
このような要請に対応するために、従来からチップ部品を使用してパッケージ化した表面実装型圧電発振器が種々提案されている。表面実装型圧電発振器としては、底部に実装電極を備えた絶縁基板（プリント基板）の表面に形成した配線パターン上に、水晶振動子等の圧電振動子や、発振回路部品及び温度補償回路部品等のチップ部品を搭載し、更にこれらの部品を包囲するように金属キャップを絶縁基板に固定した圧電発振器が知られている。
しかし、このタイプの発振器は、絶縁基板の表面上に全ての部品を並列に搭載する構成であるため、絶縁基板の面積が大きくなり、小型化の要請を満たすことが困難であった。
図３は、このような不具合を解消するために、本出願人が提案した表面実装型の圧電発振器（特願２００２−０２６０１８）の構成図であり、この圧電発振器は、セラミック、或いはガラスエポキシ等から成る絶縁基板１０２の表裏両面に夫々電極（配線パターン）１０３、１０４を形成したプリント基板１０１と、絶縁基板１０２の表面側に搭載した圧電振動子１１０と、絶縁基板１０２の裏面側に搭載したＩＣ部品１１５、及び球状の導電ボール電極１１６と、を備えている。
この絶縁基板１０２は、表面側に搭載する圧電振動子１１０の底面積と同等の面積を有するように最小化されているので、その裏面におけるＩＣ部品や導電ボール電極の搭載面積も極限られた狭いスペースとなっている。
圧電振動子１１０は、圧電振動素子（圧電基板上に励振電極を形成した素子）をパッケージ内に気密封止した構成を備えており、底部電極１１１をプリント基板１０１の表面側電極１０３上に半田接続されている。
ＩＣ部品１１５は、発振回路、温度補償回路等を集積した半導体チップを絶縁樹脂等により包摂一体化した構成を備えており、その外面（上面）には半導体チップの各端子から引き出された外部電極が配置されている。この外部電極をプリント基板１０１の裏面に設けた電極１０４に半田接続することにより、ＩＣ部品１１５は搭載される。ＩＣ部品１１５の下面には外部電極が存在しないため、図示しないマザーボード上に搭載したときにマザーボード上の配線パターンと短絡する虞がない。
導電ボール電極１１６は、例えば球状の耐熱樹脂に金属メッキ加工を施した電極であり、絶縁基板１０２の裏面の電極１０４に固定されている。この導電ボール電極１１６を図示しないマザーボード上の配線パターンに半田によって接続することにより、マザーボードに対する圧電発振器の搭載が行われる。
【０００３】
上記の如き圧電発振器は、絶縁基板の面積を、搭載する圧電振動子の底面積にほぼ一致させる程度に狭面積化されているとともに、ＩＣ部品を絶縁基板裏面に配置したため、最終的に得られる圧電発振器の平面積を最小化することができるばかりでなく、図示しないマザーボード上に表面実装されたときにおける実装高さを可能な限り低減するために、ＩＣ部品１１５の高さ及び導電ボール電極１１６の直径は夫々可能な限り小さく設定されている。この例で言えば、導電ボール電極１１６の直径は、ＩＣ部品１１５の実装高さと同等か、或いは僅かに大きく設定されている。従って、ＩＣ部品１１５の実装高さが低くなればなるほど、直径の小さい導電ボール電極１１６を使用する必要が生じる。
しかし、球状の導電ボール電極１１６は、その直径が小さくなればなるほど表面積が狭いため、マザーボード上に半田接続した際の使用半田量が減少して半田フィレットを形成できず、実装強度を低下させる原因となる。また、導電ボール電極１１６の径にばらつきがある場合には、このように直径が一定しない複数の導電ボール電極を介してマザーボード上に搭載される発振器は、その平坦度が悪化する虞がある。
一方、導電ボール電極１１６を楕円形状に構成して半田接続に際する接合強度を高めることも考えられるが、楕円形状の導電ボールは球状の導電ボール電極に比べて精度よく製造することが困難であるばかりでなく、絶縁基板１０２の電極１０４上に接続するために楕円形状の導電ボールを一定方向に転がしながら所定方向に向けて位置決めする作業が繁雑化する。これに対して、球状の導電ボール電極は、製造が容易であるばかりでなく、転がしたり位置決めする際の方向性がないため、電極上に位置決めし易く、生産性低下を招かないという利点を有している。
【０００４】
【発明が解決しようとする課題】
本発明は上記に鑑みてなされたものであり、低背化を最大限に達成するための構成を備えた上記圧電発振器の欠点である実装強度の低下という問題を解消することを課題とする。具体的には、プリント基板の表面側に圧電振動子を搭載すると共に、裏面側にＩＣ部品及び球状導電ボール電極を搭載した表面実装型圧電発振器において、球状バンプ電極を小径化して発振器全体の実装高さの低減を図った場合に発生していた、マザーボードに実装した場合の接合強度の低下という不具合を解消した表面実装型圧電発振器及びその製造方法を提供することを目的とする。
【０００５】
【課題を解決するための手段】
上記課題を解決するため請求項１の発明に係る表面実装型圧電発振器は、絶縁基板の表裏両面に電極を備えたプリント基板と、プリント基板の表面に搭載した圧電振動子と、プリント基板の裏面に搭載したＩＣ部品と、該ＩＣ部品の外周側位置に搭載したバンプ電極と、プリント基板裏面のＩＣ部品及びバンプを埋設する樹脂と、を備えた表面実装型圧電発振器において、前記バンプ電極は、外側面と底面とを切断加工された構成を備えていることを特徴とする。
請求項２の発明は、前記バンプ電極は、前記ＩＣ部品の実装高さを超えた直径を有した球状体の外側面と底面とを所要形状に切断加工された構成を備えていることを特徴とする。
請求項３の発明は、前記ＩＣ部品は、その外面側を所定厚だけ切除された構成を備えていることを特徴とする。
搭載する圧電振動子の底面積と同等の表面積を有した絶縁基板の裏面の面積内に、発振回路、温度補償回路を含んだＩＣ部品と、実装用のバンプ電極を搭載する際に、高さ寸法を可能な限り低減する必要があるが、球形状のバンプ電極をそのままの形状で搭載するとすれば、直径の小さいバンプ電極を使用せざるを得ず、この場合にはマザーボード上に半田接続する際の使用半田量が少なくなり、接合強度が低下する。また、バンプ電極の形状のバラツキにより、実装後の発振器の平坦度が低下することも多々ある。
そこで、本発明では、限られた狭い面積の絶縁基板の裏面側にＩＣ部品とバンプ電極を配置する際に、直径がＩＣ部品の実装高さよりも大幅に大きいバンプ電極を用い、当該バンプ電極の側面及び外面（下面）を夫々所定厚だけ切断することにより、表面実装時にバンプ電極に半田が付着する面積を可能な限り大きくして、接合強度を高めたものである。また、ＩＣ部品とバンプ電極と、これらを固定する樹脂の一部を製造工程において研磨、切断により切除して所要形状に整形するようにしたので、マザーボード上に搭載する側の面を精度よく平坦化することができ、表面実装時の平坦度を高めることができる。特に、バンプ電極の側面積を大きくしたので、十分な半田フィレットを確保することができる。
【０００６】
請求項４の発明方法は、複数の個片区画から成る大面積の絶縁基板母材、及び該絶縁基板母材の各個片区画の表裏両面に夫々形成した配線パターン領域を備えたプリント基板母材を用いた表面実装型圧電デバイスの製造方法において、前記各個片区画の裏面側配線パターン領域に夫々ＩＣ部品及びバンプ電極を搭載する際に、各バンプ電極を各個片区画間の境界に位置決めしながら搭載する工程と、前記プリント基板母材の裏面側に搭載した各ＩＣ部品及びバンプ電極を絶縁樹脂により埋設する工程と、前記バンプ電極の外側部分を含む絶縁樹脂の外側部分及び底面側部分を所定厚だけ切除する工程と、前記プリント基板母材を各個片区画毎に切断する際に、各バンプ電極の側面を同時に切断して個片を得る工程と、切断された前記各個片の表面側配線パターン領域に夫々圧電振動子を搭載する工程と、から成ることを特徴とする。
この方法によれば、絶縁基板裏面に搭載するＩＣ部品及びバンプ電極を固定する樹脂の一部（外側面及び側面）を研磨、切断により切除する際に、ＩＣ部品及びバンプ電極の外側面及び側面を所要形状に整形するようにしたので、マザーボード上に搭載する側の面を精度よく平坦化することができ、表面実装時の平坦度を高めることができる。
請求項５の発明は、請求項４において、前記バンプ電極は、圧電発振器完成時における前記ＩＣ部品の実装高さを超えた直径を有した球状体であることを特徴とする。
隣接するＩＣ部品と干渉することがない程度に、バンプ電極の当初の直径を大きいものとしたので、切断加工後においても、十分な接合面積が露出することとなり、表面実装時の接合強度を高めることが可能となる。
【０００７】
【発明の実施の形態】
以下、本発明を添付図面に示した実施の形態にもとづいて詳細に説明する。
なお、以下の実施形態では表面実装型圧電発振器の一例として表面実装型水晶発振器を用いて説明する。
図１（ａ）及び（ｂ）は本発明の一実施形態に係る表面実装型水晶発振器の斜視図、及び断面で示す正面図である。
この水晶発振器０は、プリント基板１の表面上に表面実装型電子部品としての水晶振動子２１を搭載し、プリント基板１基板の裏面上に発振回路及び温度補償回路を構成するＩＣ部品（半導体集積回路部品：ベアチップを含む）２２、及び銅、或いは高温半田等を球状などの塊状に加工したバンプ電極２３を搭載すると共に、ＩＣ部品２２及びバンプ電極２３を含むプリント基板裏面上の空間を絶縁性樹脂（アンダーフィル又はポッティング）２４によって接合一体化した構成を備えている。
プリント基板１は、セラミックシート等、シート状の絶縁材料を積層した絶縁基板２と、絶縁基板２の表裏両面に夫々電極３、及び４ａ、４ｂを露出配置した構成を備えている。
絶縁基板２の裏面側の一方の電極４ａには、小バンプ電極５を介して、ＩＣ部品２２の上面に設けた端子が半田接続されている。他方の電極４ｂには、バンプ電極２３が半田等により固定されている。尚、各バンプを固定する際には半田を用いない熱圧着等の周知のフリップチップ実装を行ってもよい。この水晶発振器は、後述する製造工程において説明するように、大面積の絶縁基板母材からバッチ処理にて生産する過程で個片毎に切断される手順を経るため、バンプ電極２３の側面形状は、球状体を切断した如き形状となっている。
次に、絶縁基板２の表面側電極３には、水晶振動子２１の外部電極３２が半田接続されている。なお、水晶振動子２１は、絶縁材料から成る容器３０内に水晶振動素子（水晶基板上に励振電極を形成した素子）３１を気密封止した構成を備え、絶縁基板２上に表面実装可能な外部電極３２を備えた構成となっている。
この水晶発振器０においては、図１（ｂ）に示すように、本来ＩＣ部品２２の実装高さよりも大きい直径を有した球状のバンプ電極を切断した構成を有するため、図示の如く切断後のバンプ電極２３の底面（実装面）及び側面（サイド電極面）の面積を大きく確保することができる。このため、この水晶発振器を図示しないマザーボード上の配線パターンに半田接続した際に、十分な半田量を使用して半田フィレットを形成できるので、十分な接合強度を確保することが可能となる。
【０００８】
次に、図２に基づいて上記水晶発振器の製造方法について説明する。
この製造方法においては、複数の個片区画Ｓから成る大面積の絶縁基板母材４１と、絶縁基板母材４１の各個片区画Ａの表裏両面に夫々形成した配線パターン領域Ｐ１、Ｐ２を備えたプリント基板母材４０を用いたバッチ処理を行う。なお、図示説明の都合上から、図２ではプリント基板母材４０の上側を裏面、下側を表面として説明する。
各個片区画Ｓの裏面側配線パターン領域Ｐ２には、夫々電極４ａ、４ｂが形成されている。図２（ａ）の工程では、電極４ａに対してはＩＣ部品２２の外面に形成した端子を小バンプ電極５を介して半田接続する一方、電極４ｂに対してはＩＣ部品２２の実装高さよりも大きい直径を有した球形のバンプ電極２３を位置決めした上で半田接続する。この際、各バンプ電極２３は、個片区画Ｓの中央部に配置したＩＣ部品２２の外周側に配置され、隣接する個片区画Ｓとの間の境界線に沿ってバンプ電極２３が配置された状態となっている。
次に、図２（ｂ）の工程では、プリント基板母材４０の裏面側に搭載した各ＩＣ部品２２及びバンプ電極２３が埋設されるように絶縁樹脂２４をプリント基板母材の裏面に均一厚で充填（アンダーフィル、又はポッティング）し、硬化させる。
【０００９】
次に、図２（ｃ）の工程では、低背化のために、ＩＣ部品２２及びバンプ電極２３の外側部分を含む絶縁樹脂２４の外側部分を研磨等によって所定厚だけ切除する（バックグラインド工程）。即ち、絶縁樹脂２４の外側面を所定厚だけ切除する際に、バンプ電極２３の外側部分を所定厚だけ切除する。この結果、ＩＣ部品２２についても半導体チップの一部が切除される場合もあるが、半導体チップの機能に影響がない部分を所定の厚さだけ切除するに過ぎないため、問題はない。一方、バンプ電極２３は大径の金属ボールを用いてもその外側面が平坦に切除されるため、発振器の高さを増すことなく、且つ図示しないマザーボード上に実装する際における実装面積が増大して使用する半田量を増大させ、実装状態での接合強度を増すことが可能となる。また、複数のバンプ電極２３を同時に研磨、切断することにより、これらバンプ電極２３の高さが均一化され、水晶発振器をマザーボード上に搭載する際の設置安定性、端子平坦度を高めることができる。
次いで、図２（ｄ）の工程では、上記各工程によってプリント基板母材４０上の各個片区画Ｓ内に各部品を搭載した後で、各個片区画毎に切断する工程が実施される。即ち、切断箇所Ｌは、図示した様に、各個片区画内のバンプ電極２３の側面を所定厚に切断できる位置に選定され、基板母材面と直交する方向に切断される。
図２（ｅ）は切断の結果得られた個片を示している。
この個片の絶縁基板４０の表面側電極３に対して図１に示した水晶振動子２１を搭載することにより、図１に示した如き水晶発振器が完成する。
【００１０】
なお、バンプ電極２３は正確な球形でなくてもよく、多少の変形した球形は勿論、楕円球形状も含むものである。また、バンプ電極２３の形状に寸法バラツキがあっても、図２（ｃ）及び（ｄ）のバックグラインド、及び切断工程により高さ方向、及び横方向の寸法が統一されるので、最終製品としての発振器の底面及び側面におけるバンプ電極の平坦性を確保することができる。
なお、バンプ電極２３は、切断加工後に十分な半田接合面積を確保するべく、ＩＣ部品２２の実装高さ寸法よりも十分に大きな直径を有した球状体であることが好ましく、ＩＣ部品２２と干渉しない程度にＩＣ部品２２に近接して配置する。このことにより、面積を極限した状態の絶縁基板の裏面にあって可能な限りの広い半田接合面積を確保することが可能となり、マザーボード上に搭載した際の実装強度を確保することができる。
なお、上記実施形態では、バンプ電極として球状のものを用いているが、本発明はこれに限定されるものではなく、例えば円柱状、多角柱状等、他の形状のバンプ電極であってもよいことは自明であろう。
【００１１】
【発明の効果】
以上のように本発明によれば、プリント基板の表面側に圧電振動子を搭載すると共に、裏面側にＩＣ部品及び球状ボール電極を搭載した表面実装型圧電発振器において、球状ボール電極を小径化して発振器全体の実装高さの低減を図った場合に発生していた、マザーボードに実装した場合の接合強度の低下、実装平坦度の低下という不具合を解消することができる。
請求項１、２、３の発明に係る表面実装型圧電発振器は、限られた狭い面積の絶縁基板の裏面側にＩＣ部品とバンプ電極を配置する際に、直径がＩＣ部品の実装高さよりも大幅に大きいバンプ電極を用い、当該バンプ電極の側面及び外面（下面）を夫々所定厚だけ切断することにより、表面実装時にバンプ電極に半田が付着する面積を可能な限り大きくして、接合強度を高めたものである。また、マザーボード上に搭載する側の面を精度よく平坦化することができ、表面実装時の平坦度を高めることができる。
請求項４の発明によれば、絶縁基板裏面に搭載するＩＣ部品及びバンプ電極を固定する樹脂の一部（外側面及び側面）を研磨、切断により切除する際に、ＩＣ部品及びバンプ電極の外側面及び側面を所要形状に整形するようにしたので、マザーボード上に搭載する側の面を精度よく平坦化することができ、表面実装時の平坦度を高めることができる。
請求項５の発明によれば、隣接するＩＣ部品と干渉することがない程度に、バンプ電極の当初の直径を大きいものとしたので、切断加工後においても、十分な接合面積が露出することとなり、表面実装時の接合強度を高めることが可能となる。
【図面の簡単な説明】
【図１】（ａ）及び（ｂ）は本発明の一実施形態に係る表面実装型水晶発振器の斜視図、及び断面で示す正面図。
【図２】（ａ）乃至（ｅ）は本発明の一実施形態に係る製造方法の工程を説明する図。
【図３】従来の表面実装型圧電発振器の構成説明図。
【符号の説明】
０　水晶発振器、１　プリント基板、２　絶縁基板、３　表面側電極、４ａ、４ｂ　裏面側電極、５　小バンプ電極、２１　水晶振動子、２２　ＩＣ部品（半導体集積回路部品）、２３　バンプ電極、２４　絶縁性樹脂（アンダーフィル）、３０　容器、３１　水晶振動素子、３２　外部電極、４０　プリント基板母材、４１　絶縁基板母材、Ｓ　個片区画。
【図１】
2004032323.tif 000003
【図２】
2004032323.tif 000004
【図３】
2004032323.tif 000005